(57)【要約】  複数の欠陥ピクセルを有する表示装置（２６）を使用して画像（１２）を表示する方法が提供される。方法は、複数の欠陥ピクセルに関連する情報を用いて第１のサブフレーム（３０Ａ）と第２のサブフレーム（３０Ｂ）との間のオフセットを選択すること、画像の画像データ（１６）を使用して第１のサブフレーム及び第２のサブフレームを生成すること、複数の欠陥ピクセルのうちの１つに関連する第１のサブフレーム中の第１のサブフレームピクセル値を調整すること、並びに、第１のサブフレームを第１の位置に表示すること及び第２のサブフレームを第２の位置に表示することを交互に行うことであって、第２の位置は第１の位置からオフセットによって規定される量だけ変位される、交互に行うことを含む。【選択図】図１
2008515001.tif 000002
【特許請求の範囲】
【請求項１】
複数の欠陥ピクセルを有する表示装置（２６）を使用して画像（１２）を表示する方法であって、
前記複数の欠陥ピクセルに関連する情報を用いて、第１のサブフレーム（３０Ａ）と第２のサブフレーム（３０Ｂ）との間のオフセットを選択するステップと、
前記画像の画像データ（１６）を使用して、前記第１のサブフレーム及び前記第２のサブフレームを生成するステップと、
前記複数の欠陥ピクセルのうちの１つに関連する前記第１のサブフレーム中の第１のサブフレームピクセル値を調整するステップと、
前記第１のサブフレームを第１の位置に表示すること及び前記第２のサブフレームを第２の位置に表示することを交互に行うステップであって、前記第２の位置は、前記第１の位置から前記オフセットによって規定される量だけ変位される、ステップと、
を含む、方法。
【請求項２】
前記オフセットを、該オフセットが最少数のスタックオンスタックピクセルに関連するように選択するステップをさらに含む、請求項１に記載の方法。
【請求項３】
前記オフセットを、該オフセットが最少数のエッジピクセルに関連するように選択するステップをさらに含む、請求項１に記載の方法。
【請求項４】
前記複数の欠陥ピクセルのうちの１つがスタックオフピクセルを含むことに応答して前記第１のサブフレームピクセル値を増大することにより、前記第１のサブフレーム中の前記第１のサブフレームピクセル値を調整するステップをさらに含む、請求項１に記載の方法。
【請求項５】
前記複数の欠陥ピクセルのうちの１つがスタックオンピクセルを含むことに応答して前記第１のサブフレームピクセル値を低減させることにより、前記第１のサブフレーム中の前記第１のサブフレームピクセル値を調整するステップをさらに含む、請求項１に記載の方法。
【請求項６】
前記複数の欠陥ピクセルのうちの１つに関連する前記第２のサブフレーム中の第２のサブフレームピクセル値を調整するステップをさらに含む、請求項１に記載の方法。
【請求項７】
前記複数の欠陥ピクセルのうちの１つがスタックオフピクセルを含むことに応答して前記第２のサブフレームピクセル値を増大することにより、前記第２のサブフレーム中の前記第２のサブフレームピクセル値を調整するステップをさらに含む、請求項６に記載の方法。
【請求項８】
前記複数の欠陥ピクセルのうちの１つがスタックオンピクセルを含むことに応答して前記第２のサブフレームピクセル値を低減させることにより、前記第２のサブフレーム中の前記第２のサブフレームピクセル値を調整するステップをさらに含む、請求項６に記載の方法。
【請求項９】
エッジピクセルに関連する前記第１のサブフレーム中の第２のサブフレームピクセル値を調整するステップをさらに含む、請求項１に記載の方法。
【請求項１０】
前記第２のサブフレームピクセル値を増大することにより、前記第１のサブフレーム中の前記第２のサブフレームピクセル値を調整するステップをさらに含む、請求項９に記載の方法。
【請求項１１】
画像（１２）を表示するシステム（１０）であって、
画像処理ユニット（２４）と、
複数の欠陥ピクセルを有する表示装置（２６）と
を備え、
前記画像処理ユニットは、前記複数の欠陥ピクセルに関連するオフセットを決定するように構成され、また、前記画像の画像データ、前記複数の欠陥ピクセルに関連する情報、及び前記オフセットを使用して第１のサブフレーム（３０Ａ）及び第２のサブフレーム（３０Ｂ）を生成するように構成され、前記表示装置は、前記第１のサブフレームを第１の位置に表示すること及び前記第２のサブフレームを第２の位置に表示することを交互に行うように構成され、また、前記第２の位置は前記オフセットに従って前記第１の位置から変位される、システム。
【請求項１２】
前記画像処理ユニットは、複数の可能なオフセットのそれぞれでのスタックオンスタックピクセルの数を求めることによって前記オフセットを選択するように構成され、前記オフセットは最少数のスタックオンスタックピクセルに関連する、請求項１１に記載のシステム。
【発明の詳細な説明】
【技術分野】
【０００１】
（関連出願への相互参照）
本願は、２００２年８月７日に出願された「IMAGE DISPLAY SYSTEM AND METHOD」という名称の米国特許出願第１０／２１３，５５５号、２００２年９月１１日に出願された「IMAGE DISPLAY SYSTEM AND METHOD」という名称の米国特許出願第１０／２４２，１９５号、２００２年９月１１日に出願された「IMAGE DISPLAY SYSTEM AND METHOD」という名称の米国特許出願第１０／２４２，５４５号、２００３年７月３１日に出願された「GENERATING AND DISPLAYING SPATIALLY OFFSET SUB-FRAMES」という名称の米国特許出願第１０／６３１，６８１号、２００３年７月３１日に出願された「GENERATING AND DISPLAYING SPATIALLY OFFSET SUB-FRAMES」という名称の米国特許出願第１０／６３２，０４２号、２００３年９月２６日に出願された「GENERATING AND DISPLAYING SPATIALLY OFFSET SUB-FRAMES」という名称の米国特許出願第１０／６７２，８４５号、２００３年９月２６日に出願された「GENERATING AND DISPLAYING SPATIALLY OFFSET SUB-FRAMES」という名称の米国特許出願第１０／６７２，５４４号、２００３年１０月３０日に出願された「GENERATING AND DISPLAYING SPATIALLY OFFSET SUB-FRAMES ON A DIAMOND GRID」という名称の米国特許出願第１０／６９７，６０５号、２００３年１０月３０日に出願された「GENERATING AND DISPLAYING SPATIALLY OFFSET SUB-FRAMES ON DIFFERENT TYPES OF GRIDS」という名称の米国特許出願第１０／６９６，８８８号、２００３年１０月３０日に出願された「IMAGE DISPLAY SYSTEM AND METHOD」という名称の米国特許出願第１０／６９７，８３０号、２００３年１２月３１日に出願された「DISPLAYING SPATIALLY OFFSET SUB-FRAMES WITH A DISPLAY DEVICE HAVING A SET OF DEFECTIVE DISPLAY PIXELS」という名称の米国特許出願第１０／７５０，５９１号、２００４年１月３０日に出願された「GENERATING AND DISPLAYING SPATIALLY OFFSET SUB-FRAMES」という名称の米国特許出願第１０／７６８，６２１号、２００４年１月３０日に出願された「DISPLAYING SUB-FRAMES AT SPATIALLY OFFSET POSITIONS ON A CIRCLE」という名称の米国特許出願第１０／７６８，２１５号、２００４年４月８日に出願された「GENERATING AND DISPLAYING SPATIALLY OFFSET SUB-FRAMES」という名称の米国特許出願第１０／８２１，１３５号、２００４年４月８日に出願された「GENERATING AND DISPLAYING SPATIALLY OFFSET SUB-FRAMES」という名称の米国特許出願第１０／８２１，１３０号、２００４年４月８日に出願された「GENERATING AND DISPLAYING SPATIALLY OFFSET SUB-FRAMES」という名称の米国特許出願第１０／８２０，９５２号、２００４年６月９日に出願された「GENERATING AND DISPLAYING SPATIALLY OFFSET SUB-FRAMES」という名称の米国特許出願第１０／８６４，１２５号（整理番号２００４０１４１２−１）、２００４年６月１５日に出願された「GENERATING AND DISPLAYING SPATIALLY OFFSET SUB-FRAMES」という名称の米国特許出願第１０／８６８，７１９号、及び２００４年６月１５日に出願された「GENERATING AND DISPLAYING SPATIALLY OFFSET SUB-FRAMES」という名称の米国特許出願第１０／８６８，６３８号に関連する。上記米国特許出願のそれぞれは、本発明の譲受人に譲渡され、参照により本明細書に援用される。
【背景技術】
【０００２】
ディスプレイ、プロジェクタ、又は他の画像形成システム等、画像を表示する従来のシステム又は装置は、水平行及び垂直列、菱形格子、又は他のパターン等のパターンに配置された個々の画素又はピクセルのアレイをアドレス指定することによって表示画像を生成する。
【０００３】
不都合なことに、表示装置のピクセルのうちの１つ又は複数が欠陥である場合、表示画像はその欠陥をそのまま示すことになる。たとえば、表示装置の或るピクセルが「オン」位置しか示さない場合、そのピクセルは表示画像に中実の白色正方形を生成し得る。さらに、表示装置の或るピクセルが「オフ」位置しか示さない場合、そのピクセルは表示画像に中実の黒色正方形を生成し得る。したがって、表示装置の１つ又は複数の欠陥ピクセルの影響は、表示画像で容易に視認され得る。
【発明の開示】
【０００４】
（概要）
本発明の一形態は、複数の欠陥ピクセルを有する表示装置を使用して画像を表示する方法を提供する。方法は、複数の欠陥ピクセルに関連する情報を用いて第１のサブフレームと第２のサブフレームとの間のオフセットを選択すること、画像の画像データを使用して第１のサブフレーム及び第２のサブフレームを生成すること、複数の欠陥ピクセルのうちの１つに関連する第１のサブフレーム中の第１のサブフレームピクセル値を調整すること、並びに、第１のサブフレームを第１の位置に表示すること及び第２のサブフレームを第２の位置に表示することを交互に行うことであって、第２の位置は第１の位置からオフセットによって規定される量だけ変位される、交互に行うことを含む。
【発明を実施するための最良の形態】
【０００５】
（詳細な説明）
以下の好ましい実施形態の詳細な説明では、本発明の一部を成し、本発明を実施することができる特定の実施形態を例示として示す添付図面を参照する。他の実施形態を利用することもでき、本発明の範囲から逸脱することなく構造的又は論理的な変更を行うことができることを理解されたい。したがって、以下の詳細な説明は限定の意味で解釈されるべきではなく、本発明の範囲は添付の特許請求の範囲によって規定される。
【０００６】
Ｉ．サブフレームの空間的且つ時間的なシフト
いくつかのデジタルライトプロジェクタ等の表示システムによっては、高解像度画像によっては表示に十分な解像度を有していないものがある。かかるシステムは、空間的且つ時間的にシフトした解像度のより低い画像を表示することにより人間の目に対して解像度のより高い画像に見せるように構成することができる。解像度のより低い画像をサブフレームと呼ぶ。本発明の実施形態により対処されるサブフレーム生成の問題は、表示されたサブフレームの見掛けが、そのサブフレームが導出された高解像度画像が仮にそのまま表示された場合の見掛けに近くなるような、サブフレームに適切な値を求めることである。
【０００７】
サブフレームの時間的且つ空間的なシフトを通して解像度のより高い見掛けを提供する表示システムの一実施形態が、上記で引用した米国特許出願に記載されており、図１〜図４Ｅを参照しながら以下に要約する。
【０００８】
図１は、本発明の一実施形態による画像表示システム１０を示すブロック図である。画像表示システム１０は、表示画像１４を作成するための画像１２を処理しやすくする。画像１２は、任意の絵、図及び／又はテキスト等の文字、記号、イラスト、及び／又は他の情報表現を含むものと定義される。画像１２は、たとえば画像データ１６によって表される。画像データ１６は画像１２の個々の画素又はピクセルを含む。１つの画像が画像表示システム１０によって処理されるものとして示し説明するが、画像表示システム１０が複数又は一連の画像を処理し表示できることが理解される。
【０００９】
一実施形態では、画像表示システム１０は、フレームレート変換ユニット２０及び画像フレームバッファ２２と、画像処理ユニット２４と、表示装置２６とを備える。以下に説明するように、フレームレート変換ユニット２０及び画像フレームバッファ２２は画像１２の画像データ１６を受け取ってバッファリングし、画像１２の画像フレーム２８を作成する。画像処理ユニット２４は画像フレーム２８を処理して、画像フレーム２８の１つ以上の画像サブフレーム３０を決定し、表示装置２６が画像サブフレーム３０を時間的且つ空間的に表示して表示画像１４を生成する。
【００１０】
フレームレート変換ユニット２０及び／又は画像処理ユニット２４を含め、画像表示システム１０は、ハードウェア、ソフトウェア、ファームウェア、又はこれらの組み合わせを含む。一実施形態では、フレームレート変換ユニット２０及び／又は画像処理ユニット２４を含む、画像表示システム１０の１つ又は複数の構成要素は、コンピュータ、コンピュータサーバ、又は一連の論理動作を行うことができる他のマイクロプロセッサベースのシステムに含まれる。さらに、処理をシステム全体に分散させ、個々の部分を別個のシステム構成要素において実施することができる。
【００１１】
画像データ１６は、デジタル画像データ１６１又はアナログ画像データ１６２を含み得る。アナログ画像データ１６２を処理するために、画像表示システム１０はアナログ／デジタル（Ａ／Ｄ）変換器３２を備える。したがって、Ａ／Ｄ変換器３２は、アナログ画像データ１６２を後続処理のためにデジタル形態へと変換する。このようにして、画像表示システム１０は、画像１２のデジタル画像データ１６１及び／又はアナログ画像データ１６２を受け取って処理することができる。
【００１２】
フレームレート変換ユニット２０は、画像１２の画像データ１６を受け取り、画像データ１６を画像フレームバッファ２２にバッファリング又は記憶する。より具体的には、フレームレート変換ユニット２０は、画像１２の個々のライン又はフィールドを表す画像データ１６を受け取り、画像データ１６を画像フレームバッファ２２にバッファリングして画像１２の画像フレーム２８を作成する。画像フレームバッファ２２は、画像フレーム２８の画像データをすべて受け取って記憶することによって画像データ１６をバッファリングし、フレームレート変換ユニット２０は、画像フレーム２８のすべての画像データを画像フレームバッファ２２から順次読み出し又は抽出することによって画像フレーム２８を作成する。したがって、画像フレーム２８は、画像１２の全体を表す画像データ１６の複数の個々のライン又はフィールドを含むものと定義される。このため、画像フレーム２８は、画像１２を表す個々のピクセルの複数の列及び複数の行を含む。
【００１３】
フレームレート変換ユニット２０及び画像フレームバッファ２２は、画像データ１６をプログレッシブ画像データ及び／又はインタレース画像データとして受け取って処理することができる。プログレッシブ画像データの場合には、フレームレート変換ユニット２０及び画像フレームバッファ２２は、画像１２の画像データ１６のシーケンシャルフィールドを受け取って記憶する。したがって、フレームレート変換ユニット２０は、画像１２の画像データ１６のシーケンシャルフィールドを読み出すことによって画像フレーム２８を作成する。インタレース画像データの場合には、フレームレート変換ユニット２０及び画像フレームバッファ２２は、画像１２の画像データ１６の奇数フィールド及び偶数フィールドを受け取って記憶する。たとえば、画像データ１６のすべての奇数フィールドを受け取って記憶し、画像データ１６のすべての偶数フィールドを受け取って記憶する。したがって、フレームレート変換ユニット２０は、画像データ１６をデインタレースし、画像１２の画像データ１６から奇数フィールド及び偶数フィールドを読み出すことによって画像フレーム２８を作成する。
【００１４】
画像フレームバッファ２２は、各画像１２の１つ又は複数の画像フレーム２８について画像データ１６を記憶するメモリを備える。したがって、画像フレームバッファ２２は１つ又は複数の画像フレーム２８のデータベースを構成する。画像フレームバッファ２２の例としては、不揮発性メモリ（たとえば、ハードディスクドライブ又は他の永続的な記憶装置）を含み、揮発性メモリ（たとえば、ランダムアクセスメモリ（ＲＡＭ））を含み得る。
【００１５】
画像データ１６をフレームレート変換ユニット２０において受け取り、画像フレームバッファ２２を使用して画像データ１６をバッファすることにより、画像データ１６の入力タイミングを、表示装置２６のタイミング要件と切り離すことができる。より具体的には、画像フレームバッファ２２が画像フレーム２８の画像データ１６を受け取って記憶するため、画像データ１６を入力として任意のレートで受け取ることができる。したがって、画像フレーム２８のフレームレートを表示装置２６のタイミング要件に変換することができる。したがって、画像フレーム２８の画像データ１６は、表示装置２６のフレームレートで画像フレームバッファ２２から抽出することができる。
【００１６】
一実施形態では、画像処理ユニット２４は解像度調整ユニット３４及びサブフレーム生成ユニット３６を備える。以下に説明するように、解像度調整ユニット３４は、画像フレーム２８についての画像データ１６を受け取り、画像データ１６の解像度を表示装置２６での表示に合わせて調整し、サブフレーム生成ユニット３６は、或る画像フレーム２８についての複数の画像サブフレーム３０を生成する。より具体的には、画像処理ユニット２４は、画像フレーム２８の画像データ１６を元々の解像度で受け取り、画像データ１６の解像度を上げる、下げる、及び／又は、そのままにしておくように画像データ１６を処理する。したがって、画像処理ユニット２４を用いることにより、画像表示システム１０は、種々の解像度の画像データ１６を受け取って表示することができる。
【００１７】
サブフレーム生成ユニット３６は、画像フレーム２８の画像データ１６を受け取って処理し、画像フレーム２８に対する複数の画像サブフレーム３０を決定する。解像度調整ユニット３４が画像データ１６の解像度を調整した場合には、サブフレーム生成ユニット３６は画像データ１６を調整された解像度で受け取る。画像データ１６の調整された解像度は、画像フレーム２８の画像データ１６の元々の解像度よりも高くても低くても、又は同じであってもよい。サブフレーム生成ユニット３６は、表示装置２６の解像度に合う解像度を有する画像サブフレーム３０を生成する。画像サブフレーム３０は、画像フレーム２８に等しいエリアのそれぞれである。サブフレーム３０は、画像１２の画像データ１６のサブセットを表す個々のピクセルの複数の列及び複数の行をそれぞれ含み、表示装置２６の解像度に合う解像度を有する。
【００１８】
各画像サブフレーム３０は、画像フレーム２８のピクセルの行列又はアレイを含む。画像サブフレーム３０は、それぞれが異なるピクセル及び／又はピクセル部分を含むようにして互いに空間的にオフセットされる。したがって、画像サブフレーム３０は、以下に説明するように或る垂直距離及び／又は水平距離だけ互いにオフセットされる。
【００１９】
表示装置２６は、画像サブフレーム３０を画像処理ユニット２４から受け取り、画像サブフレーム３０を順次表示して表示画像１４を作成する。より具体的には、画像サブフレーム３０が互いに空間的にオフセットされているため、以下に説明するように、表示装置２６は画像サブフレーム３０の空間的オフセットに従って画像サブフレーム３０を異なる位置に表示する。したがって、表示装置２６は、画像フレーム２８の画像サブフレーム３０を交互に表示して表示画像１４を作成する。このため、表示装置２６は、画像フレーム２８のサブフレーム３０の全体を一度に表示する。
【００２０】
一実施形態では、表示装置２６は、各画像フレーム２８の画像サブフレーム３０を表示するという１サイクルを行う。表示装置２６は、互いに空間的且つ時間的にオフセットされるように画像サブフレーム３０を表示する。一実施形態では、表示装置２６は、画像サブフレーム３０を光学的に操縦して表示画像１４を作成する。したがって、表示装置２６の個々のピクセルは、複数のロケーションにアドレス指定される。
【００２１】
一実施形態では、表示装置２６は画像シフタ３８を備える。画像シフタ３８は、表示装置２６が表示する画像サブフレーム３０の位置を空間的に変更又はオフセットさせる。より具体的には、画像シフタ３８は、以下に説明するように画像サブフレーム３０の表示位置を変えて表示画像１４を生成する。
【００２２】
一実施形態では、表示装置２６は入射光を変調する光変調器を備える。光変調器は、たとえば、マイクロミラーデバイスアレイを形成するように配置された複数のマイクロミラーデバイスを備える。したがって、各マイクロミラーデバイスは、表示装置２６の１つのセル又はピクセルを構成する。表示装置２６は、ディスプレイ、プロジェクタ、又は他の画像形成システムの一部を成すことがある。
【００２３】
一実施形態では、画像表示システム１０はタイミング発生器４０を備える。タイミング発生器４０は、たとえば、フレームレート変換ユニット２０と、解像度調整ユニット３４及びサブフレーム生成ユニット３６を含む画像処理ユニット２４と、および、画像シフタ３８を含む表示装置２６と通信する。したがって、タイミング発生器４０は、画像データ１６をバッファリングして変換し、画像フレーム２８を作成すること、画像フレーム２８を処理して画像データ１６の解像度を調整し、画像サブフレーム３０を生成すること、及び、画像サブフレーム３０を位置決めして表示して表示画像１４を生成することを同期させる。したがって、タイミング発生器４０は、画像１２のサブフレームの全体が表示装置２６により表示画像１４として時間的且つ空間的に表示されるように画像表示システム１０のタイミングを制御する。
【００２４】
一実施形態では、図２Ａ及び図２Ｂに示すように、画像処理ユニット２４は、或る画像フレーム２８について２つの画像サブフレーム３０を決定する。より具体的には、画像処理ユニット２４は、画像フレーム２８に対して第１のサブフレーム３０１及び第２のサブフレーム３０２を決定する。したがって、第１のサブフレーム３０１及び第２のサブフレーム３０２は、画像データ１６の個々のピクセル１８の複数の列及び複数の行をそれぞれ含む。したがって、第１のサブフレーム３０１及び第２のサブフレーム３０２は、画像データ１６のサブセットの画像データアレイ又はピクセル行列をそれぞれ構成する。
【００２５】
一実施形態では、図２Ｂに示すように、第２のサブフレーム３０２は第１のサブフレーム３０１から垂直距離５０及び水平距離５２だけオフセットされる。したがって、第２のサブフレーム３０２は、第１のサブフレーム３０１から所定の距離だけ空間的にオフセットされる。例示的な一実施形態では、垂直距離５０及び水平距離５２は、それぞれおよそピクセル半個分である。
【００２６】
図２Ｃに示すように、表示装置２６は、第１のサブフレーム３０１を第１の位置に、第２のサブフレーム３０２を第１の位置から空間的にオフセットされた第２の位置に交互に表示する。より具体的には、表示装置２６は、第２のサブフレーム３０２の表示を第１のサブフレーム３０１の表示に対して垂直距離５０及び水平距離５２だけシフトさせる。このようにして、第１のサブフレーム３０１のピクセルが第２のサブフレーム３０２のピクセルに重なる。一実施形態において、表示装置２６は、画像フレーム２８に関し、第１のサブフレーム３０１を第１の位置に表示し、第２のサブフレーム３０２を第２の位置に表示するという１サイクルを行う。したがって、第２のサブフレーム３０２は、第１のサブフレーム３０１に対して空間的且つ時間的に表示される。２つの時間的且つ空間的にシフトしたサブフレームをこのようにして表示することを、本明細書では２位置処理と呼ぶ。
【００２７】
別の実施形態では、図３Ａ〜図３Ｄに示すように、画像処理ユニット２４は画像フレーム２８に対して４つの画像サブフレーム３０を決定する。より具体的には、画像処理ユニット２４は、第１のサブフレーム３０１と第２のサブフレーム３０２と第３のサブフレーム３０３と第４のサブフレーム３０４とを画像フレーム２８に対して決定する。したがって、第１のサブフレーム３０１と第２のサブフレーム３０２と第３のサブフレーム３０３と第４のサブフレーム３０４とは、画像データ１６の個々のピクセル１８の複数の列及び複数の行をそれぞれ含む。
【００２８】
一実施形態では、図３Ｂ〜図３Ｄに示すように、第２のサブフレーム３０２は第１のサブフレーム３０１から垂直距離５０及び水平距離５２だけオフセットされ、第３のサブフレーム３０３は第１のサブフレーム３０１から水平距離５４だけオフセットされ、第４のサブフレーム３０４は第１のサブフレーム３０１から垂直距離５６だけオフセットされる。したがって、第２のサブフレーム３０２と第３のサブフレーム３０３と第４のサブフレーム３０４とは、それぞれ互いに空間的にオフセットされ、第１のサブフレーム３０１から空間的に所定距離だけオフセットされる。例示的な一実施形態では、垂直距離５０と水平距離５２と水平距離５４と垂直距離５６とは、それぞれおよそピクセル半個分である。
【００２９】
図３Ｅに概略的に示すように、表示装置２６は、第１のサブフレーム３０１を第１の位置Ｐ1に表示すること、第２のサブフレーム３０２を第１の位置から空間的にオフセットされた第２の位置Ｐ2に表示すること、第３のサブフレーム３０３を第１の位置から空間的にオフセットされた第３の位置Ｐ3に表示すること、及び、第４のサブフレーム３０４を第１の位置から空間的にオフセットされた第４の位置Ｐ4に表示することを交互に行う。より具体的には、表示装置２６は、第２のサブフレーム３０２の表示と、第３のサブフレーム３０３の表示と、第４のサブフレーム３０４の表示とを、第１のサブフレーム３０１に対してそれぞれ所定の距離だけシフトさせる。したがって、第１のサブフレーム３０１と第２のサブフレーム３０２と第３のサブフレーム３０３と第４のサブフレーム３０４との各ピクセルは、互いに重なる。
【００３０】
一実施形態では、表示装置２６は、画像フレーム２８に関して第１のサブフレーム３０１を第１の位置に表示し、第２のサブフレーム３０２を第２の位置に表示し、第３のサブフレーム３０３を第３の位置に表示し、第４のサブフレーム３０４を第４の位置に表示するという１サイクルを行う。したがって、第２のサブフレーム３０２と第３のサブフレーム３０３と第４のサブフレーム３０４とは、互いに、第１のサブフレーム３０１に対して空間的且つ時間的に表示される。４つの時間的且つ空間的にシフトされたサブフレームをこのように表示することを、本明細書では４位置処理と呼ぶ。
【００３１】
図４Ａ〜図４Ｅは、第１のサブフレーム３０１からのピクセル１８１を第１の位置に表示し、第２のサブフレーム３０２からのピクセル１８２を第２の位置に表示し、第３のサブフレーム３０３からのピクセル１８３を第３の位置に表示し、第４のサブフレーム３０４からのピクセル１８４を第４の位置に表示するという１サイクルを完了する一実施形態を示す。より具体的には、図４Ａは、第１の位置にある、第１のサブフレーム３０１からのピクセル１８１の表示を示し、図４Ｂは、（第１の位置を破線で示した）第２の位置にある、第２のサブフレーム３０２からのピクセル１８２の表示を示し、図４Ｃは、（第１の位置及び第２の位置を破線で示した）第３の位置にある、第３のサブフレーム３０３からのピクセル１８３の表示を示し、図４Ｄは、（第１の位置と第２の位置と第３の位置とを破線で示した）第４の位置にある、第４のサブフレーム３０４からのピクセル１８４の表示を示し、図４Ｅは、（第２の位置と第３の位置と第４の位置とを破線で示した）第１の位置にある、第１のサブフレーム３０１からのピクセル１８１の表示を示す。
【００３２】
サブフレーム生成ユニット３６（図１）は、画像フレーム２８中の画像データに基づいてサブフレーム３０を生成する。サブフレーム生成ユニット３６が行う機能はハードウェア、ソフトウェア、ファームウェア、又はこれらの任意の組み合わせでインプリメントできることが当業者に理解されよう。インプリメンテーションは、マイクロプロセッサ、プログラマブルロジックデバイス、又は状態機械を介することができる。本発明の構成要素は、１つ又は複数のコンピュータ読み取り可能な媒体内のソフトウェアに常駐することができる。本明細書において用いられるコンピュータ読み取り可能媒体という用語は、フロッピー（登録商標）ディスク、ハードディスク、ＣＤ−ＲＯＭ、フラッシュメモリ、読み取り専用メモリ（ＲＯＭ）、ランダムアクセスメモリ等の揮発性又は不揮発性である任意の種類のメモリを含むものと定義される。
【００３３】
本発明の一形態では、サブフレーム３０は、画像フレーム２８よりも低い解像度を有する。したがって、サブフレーム３０を本明細書では低解像度画像３０とも呼び、画像フレーム２８を本明細書では高解像度画像２８とも呼ぶ。低解像度及び高解像度という用語は本明細書では比較として用いられ、特定のピクセル最小数又はピクセル最大数のいずれにも限定されないことが当業者に理解されるであろう。サブフレーム生成ユニット３６は、任意の適当なアルゴリズムを使用してサブフレーム３０のピクセル値を生成するように構成される。
【００３４】
ＩＩ．欠陥ピクセルのエラー補償
一実施形態では、表示装置２６は、複数の行及び複数の列に配置されてピクセルアレイを形成する複数の表示ピクセルを備える。各表示ピクセルは光を変調して、画像フレーム２８の画像サブフレーム３０を表示し、表示画像１４を再現する。表示装置２６の表示ピクセルの１つ又は複数が欠陥であり得る。欠陥ピクセルは、「オン」位置のみ（すなわち、スタックオン）又は「オフ」位置のみ（すなわち、スタックオフ）で動作する表示ピクセル、意図する輝度量よりもはるかに高い又は低い輝度を生成する表示ピクセル、及び／又は動作が一貫しない、中断する、又はランダムな表示ピクセル等、表示装置２６の異常又は動作不能の表示ピクセルとして定義される。
【００３５】
表示装置２６の欠陥ピクセルを補償するために、画像処理ユニット２４は、図５Ａ〜図５Ｃ及び図６Ａ〜図６Ｃを参照して後述するようにサブフレーム３０を表示するオフセットを選択し、図７を参照して後述するように欠陥ピクセル及びエッジピクセルに関連するサブフレームピクセル値を調整する。
【００３６】
図５Ａ〜図５Ｃは、表示装置２６による２つのサブフレーム３０Ａ及び３０Ｂの表示の一実施形態を示す概略図である。表示装置２６の表示ピクセルは、行（Ａ〜Ｆ）位置及び列（１〜８）位置で特定される。行Ｇ及び列９の位置は表示装置２６のピクセルアレイの外にあるサブフレーム３０Ｂの部分を表し、表示されない。図５Ａ〜図５Ｃに示す例では、表示装置２６は、図５Ａ及び図５Ｂにおいて完全に暗化されたピクセル位置及び完全に明化されたピクセル位置によって示される５つの欠陥ピクセルを有する。
【００３７】
図５Ａ及び図５Ｂは、サブフレーム３０Ａ及び３０Ｂの別個の表示をそれぞれ示す。サブフレーム３０Ａ及び３０Ｂは、図５Ａ及び図５Ｂにおいて点線で示されるように、図５Ａ及び図５Ｂにおいて水平にピクセル１個分ずれ、且つ垂直にピクセル１個分ずれて表示されて示される。サブフレーム３０Ａ又はサブフレーム３０Ｂの表示中、欠陥ピクセルは完全に暗化又は完全に明化されて見える。サブフレーム３０Ａを表示するに際して、３つのスタックオフ欠陥ピクセルが位置Ｃ３、Ｄ４、及びＥ４に見られ、２つのスタックオン欠陥ピクセルが位置Ｂ５及びＤ７に見られる。サブフレーム３０Ｂを表示するに際して、３つのスタックオフ欠陥ピクセルが位置Ｄ４、Ｅ５、及びＦ５に見られ、２つのスタックオン欠陥ピクセル位置Ｃ６及びＥ８に見られる。行Ｇ及び列９のピクセル位置は空白として示されて、表示装置２６のピクセルアレイの外にあることを示す。
【００３８】
図５Ｃは、サブフレーム３０Ａ及び３０Ｂを組み合わせ表示、すなわち表示画像１４を示し、ここで、表示装置２６はサブフレーム３０Ａと３０Ｂとを交互に表示する。表示画像１４では、欠陥ピクセルの影響が、サブフレーム３０Ａと３０Ｂとを交互に表示することによっていくつかの位置で緩和される。特に、位置Ｃ３、Ｅ４、Ｅ５、Ｆ５、Ｂ５、Ｃ６、Ｄ７、及びＥ８での表示ピクセル値は、サブフレーム３０Ａと３０Ｂからのサブフレームピクセル値を組み合わせたものを表す。図５Ａ及び図５Ｂに示すように、これらの各表示ピクセル位置は、サブフレーム３０Ａ又は３０Ｂのうちの一方により完全に暗化又は完全に明化されている。しかし、他方のサブフレーム３０Ａ又は３０Ｂが、これらの各表示ピクセル位置に補正された表示ピクセル値を表示させる。その結果、これら位置に表示される表示ピクセル値は、その表示位置にスタックオフ表示ピクセルが関連する場合（すなわち、位置Ｃ３、Ｅ４、Ｅ５、及びＦ５）には少し暗く見え、スタックオン表示ピクセルが関連する場合（すなわち、位置Ｂ５、Ｃ６、Ｄ７、及びＥ８）には少し明るく見える。
【００３９】
しかし、欠陥ピクセルの影響は、図５Ｃにおいて完全に暗化した表示ピクセルで示すように、位置Ｄ４の表示ピクセルでは緩和されない。位置Ｄ４の表示ピクセル値は、サブフレーム３０Ａ及び３０Ｂからのサブフレーム値を組み合わせたものを表す。図５Ａに見られるように、サブフレーム３０Ａの位置Ｄ４はスタックオフ欠陥ピクセルである。サブフレーム３０Ｂの位置Ｄ４もスタックオフ欠陥ピクセルである。したがって、サブフレーム３０Ａ及び３０Ｂの両方が位置Ｄ４での表示ピクセルを完全に暗化させ、欠陥ピクセルの影響は緩和されない。
【００４０】
値が２つ以上の欠陥ピクセルからもたらされる値を表す表示ピクセルを、ピクセルがすべてスタックオンであるか、すべてスタックオフであるか、それともスタックオフとスタックオンの組み合わせであるかにかかわらず、スタックオンスタック(stack-on-stack)ピクセルと呼ぶ。２位置処理の場合、スタックオンスタックピクセルは、スタックオンスタックピクセルの種類に応じて完全に暗化された表示ピクセル、完全に明化された表示ピクセル、又は５０％グレー表示ピクセルを生じさせ得る。スタックオンスタックピクセルは、２位置処理を用いて補正することができない。
【００４１】
図５Ｃに示すように、表示画像１４のエッジピクセル、すなわち行Ａ中のピクセル及び列１中のピクセルは、サブフレーム３０Ｂの表示中に完全に暗化される。その結果、これら位置で表示される表示ピクセル値は、それぞれの所望値よりも暗く見える。エッジピクセルの数及び位置は、サブフレーム３０Ａ及び３０Ｂのオフセットによってもたらされる。
【００４２】
サブフレーム３０Ａ及び３０Ｂのオフセットは、図５Ｃの位置Ｄ４のピクセル等のスタックオンスタックピクセルの数及び図５Ｃでの列１及び行Ａ中のピクセル等のエッジピクセルの数を最小化するように選択することができる。一実施形態では、画像処理ユニット２４は、表示装置２６のピクセルアレイ中のどのピクセルが欠陥を有するかを示す欠陥ピクセル情報を受け取るか、又はこの情報にアクセスする。画像処理ユニット２４は、サブフレーム３０Ａ及び３０Ｂに可能な複数のオフセットでのスタックオンスタックピクセルの数を求める。画像処理ユニット２４は、スタックオンスタックピクセルが最も少ないオフセットを選択する。２つ以上のオフセットが同数のスタックオンスタックピクセルを有する場合、画像処理ユニット２４はエッジピクセルが最少のオフセットを選択する。２つ以上のオフセットが同数のスタックオンスタックピクセル及び同数のエッジピクセルを有する場合、画像処理ユニット２４は、任意の適した基準を用いてこれら２つ以上のオフセットのうちのいずれか１つを選択することができる。欠陥ピクセル情報が変更されないと考えることができる場合、画像処理ユニット２４はオフセットを選択するプロセスを１回だけ行う必要があり得る。
【００４３】
一実施形態では、画像処理ユニット２４は、各方向において最大でピクセル３個分の水平オフセットと垂直オフセットとの整数の組み合わせでのスタックオンスタックピクセル数を求める。サブフレーム３０Ａ及び３０Ｂは水平２方向及び垂直２方向で（たとえば、左右及び上下のそれぞれ）互いにずらすことができるため、画像処理ユニット２４は、この実施形態では水平オフセット及び垂直オフセットの最大で４８の異なる整数の組み合わせまでスタックオンスタックピクセルの数を求めることができる。他の実施形態では、画像処理ユニット２４は、各方向での他のピクセル個数分の水平オフセット及び垂直オフセットの整数の組み合わせでのスタックオンスタックピクセルの数を求める。
【００４４】
上述したように、画像処理ユニット２４は、２つ以上のオフセットが同数のスタックオンスタックピクセルを有する場合、エッジピクセル数が最少のオフセットを選択する。各オフセットのエッジピクセル数は表示装置２６のアスペクト比に従って異なる。図６Ａ〜図６Ｃはそれぞれ、４：３アスペクト比、１６：９アスペクト比、及び３：２アスペクト比の最少エッジピクセルに従ってのオフセットのランキングの一実施形態を示す概略図４０２、４０４、及び４０６である。ランキングは、各アスペクト比の各オフセットから生じるエッジピクセル数によって決まる。たとえば、図６Ａでは、水平でのピクセル１個分のオフセット（すなわち、垂直オフセットなし）が、暗化されたオフセットなし位置の右側及び左側の数１で示すように、４：３アスペクト比の場合に最少のエッジピクセルを発生させる。同様に、水平にピクセル３個分且つ垂直にピクセル３個分のオフセット（図６Ｃ）が、暗化位置から水平にピクセル３個分且つ垂直にピクセル３個分離れたところにある４つの可能な位置の数１３により示されるように、３：２のアスペクト比の場合に最多のエッジピクセルを発生させる。したがって、画像処理ユニット２４は、２つ以上のオフセットが同数のスタックオンスタックピクセルを有する場合、表示装置２６のアスペクト比に従ってエッジピクセルが最少のオフセットを選択する。
【００４５】
選択されたオフセットを使用して、画像処理ユニット２４は、欠陥ピクセル及びエッジピクセルを補正することによってサブフレーム３０Ａ及び３０Ｂのサブフレームピクセル値を生成する。図７は、２位置処理の場合にサブフレームピクセル値を生成する一実施形態を示す概略図であり、表示装置２６は欠陥ピクセルを有する。図７の例では、画像フレーム２８は所望のピクセル値Ａ〜Ｌを含む。しかし、表示装置２６は、サブフレーム３０Ａ及び３０Ｂに示すようにスタックオフピクセル４５２及びスタックオンピクセル４５４を含む。スタックオンスタックピクセル数に基づいて、画像処理ユニット２４は、矢印４５６で示すように、上述したプロセスを用いて、この例では水平にピクセル１個分且つ垂直にピクセル１個分というオフセットを選択した。
【００４６】
図７に示す例では、画像処理ユニット２４は、欠陥ピクセル及びエッジピクセルに関連するサブフレームピクセル値を調整することにより、欠陥ピクセル及びエッジピクセルについてサブフレーム３０Ａ及び３０Ｂ中のサブフレームピクセルを補正する。そうすることにより、画像フレーム２８中の所望ピクセル値を、可能な限り所望ピクセル値に近づけて表示画像１４で再現することができる。
【００４７】
２位置処理の場合、表示画像１４中の各表示ピクセル値は、図７に示すようにサブフレーム３０Ａのサブフレームピクセル値の半分とサブフレーム３０Ｂのサブフレームピクセル値の半分との和である。たとえば、表示画像１４中の表示ピクセル値Ｆは、サブフレーム３０Ａのサブフレームピクセル値Ｆの半分とサブフレーム３０Ｂのサブフレームピクセル値Ｆの半分との和であり、すなわち１／２（Ｆ）＋１／２（Ｆ）＝Ｆである。欠陥ピクセル又はエッジピクセルが関連しない表示ピクセル値の場合、画像処理ユニット２４は、サブフレームピクセル値を表示ピクセル値に等しく設定することにより、表示ピクセル値に対応するサブフレームピクセル値を生成する。図７でのこのような表示ピクセル値の例としては、表示ピクセル値Ｆ、Ｈ、及びＫが含まれ、ここでサブフレーム３０Ａ及び３０Ｂ中の対応するサブフレームピクセル値はそれぞれＦ、Ｈ、及びＫのそれぞれである。
【００４８】
欠陥ピクセル又はエッジピクセルに関連する表示ピクセル値の場合、画像処理ユニット２４は、画像フレーム２８中の所望ピクセル値を近似するようにサブフレームピクセル値を調整することにより、表示ピクセル値に対応するサブフレームピクセル値を生成する。
【００４９】
スタックオフピクセル４５２等のスタックオフピクセルの場合、スタックオフピクセルに関連する表示画像１４中の表示ピクセルは、サブフレーム３０Ａ又はサブフレーム３０Ｂのいずれかの表示中に完全に暗化される。したがって、画像処理ユニット２４は、完全に暗化するピクセルを補償するように、サブフレーム３０Ａ又はサブフレーム３０Ｂいずれかでのサブフレームピクセル値を増大させる。たとえば、画像処理ユニット２４は、サブフレーム３０Ａ中のスタックオフピクセル４５２を補償するようにサブフレーム３０Ｂ中のサブフレームピクセル値Ｇ2を増大させる。同様に、画像処理ユニット２４は、サブフレーム３０Ｂ中のスタックオフピクセル４５２を補償するようにサブフレーム３０Ａ中のサブフレームピクセル値Ｌ1を増大させる。その結果、表示画像１４は、スタックオフピクセル４５２に関連する表示ピクセル値ＧS及びＬSを含む。スタックオフピクセルの表示値は「０」と表すことができるため、ＧS及びＬSの表示ピクセル値は式Ｉ及び式ＩＩにそれぞれ示すように表すことができる。
式Ｉ      ＧS＝１／２（０）＋１／２（Ｇ2）＝１／２（Ｇ2）
式ＩＩ    ＬS＝１／２（Ｌ1）＋１／２（０）＝１／２（Ｌ1）
【００５０】
スタックオンピクセル４５４等のスタックオンピクセルの場合、スタックオンピクセルに関連する表示画像１４中の表示ピクセルは、サブフレーム３０Ａ又はサブフレーム３０Ｂのいずれかの表示中に完全に明化される。したがって、画像処理ユニット２４は、完全に明化されるピクセルを補償するように、サブフレーム３０Ａ又はサブフレーム３０Ｂのいずれかのサブフレームピクセル値を低減させる。たとえば、画像処理ユニット２４は、サブフレーム３０Ａ中のスタックオンピクセル４５４を補償するようにサブフレーム３０Ｂ中のサブフレームピクセル値Ｊ2を低減させる。その結果、表示画像１４は、スタックオンピクセル４５４に関連する表示ピクセル値ＪSを含む。スタックオンピクセルの表示値は「１」と表すことができるため、ＪSの表示ピクセル値は式ＩＩＩに示すように表すことができる。
式ＩＩＩ  ＪS＝１／２（１）＋１／２（Ｊ2）＝１／２＋１／２（Ｊ2）
【００５１】
エッジピクセルの場合、エッジピクセルに関連する表示画像１４中の表示ピクセルは、サブフレーム３０Ｂの表示中に完全に暗化される。したがって、画像処理ユニット２４は、完全に暗化するピクセルを補償するようにサブフレーム３０Ａ中のサブフレームピクセル値を増大させる。たとえば、画像処理ユニット２４は、サブフレーム３０Ｂの表示中に照らされないエッジピクセルを補償するように、サブフレーム３０Ａ中のサブフレームピクセル値Ａ1、Ｂ1、Ｃ1、Ｄ1、Ｅ1、及びＩ1を増大させる。その結果、表示画像１４は、エッジピクセルに関連する表示ピクセル値ＡS、ＢS、ＣS、ＤS、ＥS、及びＩSを含む。エッジピクセルの表示値は「０」と表すことができるため、ＡSの表示ピクセル値を式ＩＶに示すように表すことができる。
式ＩＶ    ＡS＝１／２（Ａ1）＋１／２（０）＝１／２（Ａ1）
ＢS、ＣS、ＤS、ＥS、及びＩSの表示ピクセル値も同様の式を使用して表すことができる。
【００５２】
図８は、欠陥ピクセルを有する表示装置に対してサブフレームピクセル値を生成する方法を示すフローチャートである。この方法は、画像処理ユニット２４によって行うことができる。図８では、２つ以上のサブフレーム３０間のオフセットが、ブロック５０２に示すように欠陥ピクセルの位置に従って選択される。一実施形態では、画像処理ユニット２４は、最少数のスタックオンスタックピクセルを有するオフセット、又は２つ以上のオフセットが同数のスタックオンスタックピクセルを有する場合には最少数のエッジピクセルを有するオフセットを選択する。サブフレーム３０が、ブロック５０４で示すように生成される。ブロック５０６に示すように、欠陥ピクセルに関連したサブフレーム３０中のサブフレームピクセル値が調整される。サブフレーム３０は、ブロック５０８に示すように、オフセットを使用して表示装置２６によって表示される。
【００５３】
図９Ａ〜図９Ｄは、表示画像１４Ａ〜１４Ｄとしてそれぞれ水平にピクセル１個分且つ垂直にピクセル１個分のオフセットを有する２つのサブフレームの表示を示す。
【００５４】
図９Ａは、ピクセル補正なしの５０％グレー表示画像１４Ａとしての２つのサブフレームの表示の一実施形態を示す概略図である。図９Ａに示すように、スタックオフピクセルは、ピクセル位置Ｃ３及びＤ４を所望値である５０％グレーよりも暗く表示させる。同様に、スタックオンピクセルは、ピクセル位置Ｃ６及びＤ７を所望値である５０％グレーよりも明るく表示させる。エッジピクセルは、行Ａ及び列１中のピクセル位置を所望値である５０％グレーよりも暗く表示される。表示画像１４Ａはピクセル補正を含まないため、欠陥ピクセル及びエッジピクセルは所望値よりも暗い、又は明るい表示ピクセル値を発生させる。
【００５５】
図９Ｂは、上述したように画像処理ユニット２４により行われるピクセル補正ありの５０％グレー表示画像１４Ｂとしての２つのサブフレームの表示の一実施形態を示す概略図である。ピクセル補正ありの場合、欠陥ピクセル及びエッジピクセルを５０％グレー値へと完全に補正することができる。したがって、行Ａ及び列１中のピクセル位置及びピクセル位置Ｃ３、Ｃ６、Ｄ４、及びＤ７は５０％グレー表示画像１４Ｂにおいて完全に補正されて見える。
【００５６】
図９Ｃは、上述したように画像処理ユニット２４により行われるピクセル補正ありの２５％グレー表示画像１４Ｃとしての２つのサブフレームの表示の一実施形態を示す概略図である。ピクセル補正ありの場合、スタックオンピクセルは２５％グレー値へと完全に補正することができる。したがって、ピクセル位置Ｃ６及びＤ７は２５％グレー表示画像１４Ｃにおいて完全に補正されて見える。しかし、スタックオフピクセルでは、ピクセル位置Ｃ３及びＤ４が部分的にしか補正されず、所望値である２５％グレーよりも暗く表示される。同様に、エッジピクセルでも、行Ａ及び列１中のピクセル位置が部分的にしか補正されず、所望値である２５％グレーよりも暗く表示される。その結果、ピクセル位置Ｃ６及びＤ７は２５％グレー表示画像１４Ｃにおいて完全に補正されて見えるが、行Ａ及び列１中のピクセル位置並びにピクセル位置Ｃ３及びＤ４は、２５％グレー表示画像１４Ｃにおいて部分的にしか補正されて見えない。
【００５７】
図９Ｄは、上述したように画像処理ユニット２４により行われるピクセル補正ありの７５％グレー表示画像１４Ｄとしての２つのサブフレームの表示の一実施形態を示す概略図である。ピクセル補正ありの場合、スタックオフピクセル及びエッジピクセルは、７５％グレー値へと完全に補正することができる。したがって、ピクセル位置Ｃ３及びＤ４並びに行Ａ及び列１中のピクセル位置は、７５％グレー表示画像１４Ｄにおいて完全に補正されて見える。しかし、スタックオンピクセルでは、ピクセル位置Ｃ６及びＤ７が部分的にしか補正されず、所望値である７５％グレーよりも明るく表示される。その結果、ピクセル位置Ｃ３及びＤ４並びに行Ａ及び列１中のピクセル位置は、７５％グレー表示画像１４Ｄにおいて完全に補正されて見えるが、ピクセル位置Ｃ６及びＤ７は７５％グレー表示画像１４Ｄにおいて部分的にしか補正されて見えない。
【００５８】
図１０Ａ及び図１０Ｂは、２位置処理でのエラー補償なしのスタックオンピクセル及びスタックオフピクセルそれぞれの補正割合の一実施形態を示すグラフ図である。補正割合は１−（デルタ／レンジ）として計算され、ここでデルタは表示値と所望値との差であり、レンジは出力値の範囲、たとえば０〜１である。
【００５９】
図１０Ａに示すように、所望値が１である、すなわち完全明化の場合のみ、スタックオンピクセルはエラー補償なしで１００％補正される。他の表示値の補正割合は、エラー補償なしで１００％未満から、所望値０、すなわち完全暗化の場合での限度５０％までである。
【００６０】
図１０Ｂに示すように、所望値が０である、すなわち完全暗化の場合のみ、スタックオフピクセルはエラー補償なしで１００％補正される。他の表示値の補正割合は、エラー補償なしで１００％未満から、所望値１、すなわち完全明化の場合での限度５０％までである。
【００６１】
図１１Ａ及び図１１Ｂは、２位置処理でのエラー補償ありのスタックオンピクセル及びスタックオフピクセルそれぞれの補正割合の一実施形態を示すグラフ図である。
【００６２】
図１１Ａに示すように、スタックオンピクセルでエラー補償ありの場合、表示値は範囲０．５、すなわち５０％の明化から１、すなわち完全明化までの範囲にわたって１００％補正される。他の表示値の補正割合は、エラー補償ありで１００％未満から、所望値０、すなわち完全暗化の場合の限度５０％までであるが、所望値の範囲にわたる補正割合は、図１０Ａに示すようにエラー補償のない場合と比較して全体的によりよいことを見て取ることができる。
【００６３】
図１１Ｂに示すように、スタックオフピクセルでエラー補償ありの場合、表示値は範囲０．５、すなわち５０％の暗化から０、すなわち完全暗化までの範囲にわたって１００％補正される。他の表示値の補正割合は、エラー補償ありで１００％未満から、所望値１、すなわち完全明化の場合の限度５０％までであるが、所望値の範囲にわたる補正割合は、図１０Ｂに示すようにエラー補償のない場合と比較して全体的によりよいことを見て取ることができる。
【００６４】
上記例は、様々な割合のグレーフィールドの場合にサブフレームピクセル値を調整することを示すが、画像処理ユニット２４は、全色域の色にわたり、欠陥ピクセル及び／又はエッジピクセルを補償するようにサブフレームピクセル値を調整することができる。たとえば、表示画像１４中の各表示ピクセルが赤、緑、及び青の各成分を含む場合、画像処理ユニット２４は、欠陥ピクセル及び／又はエッジピクセルを補償するようにサブフレームピクセル値の赤、緑、及び青の各成分を別個に調整することができる。
【００６５】
さらに、画像処理ユニット２４は、ｎ位置処理（但し、ｎは３以上の整数、たとえば３、又は４位置処理）用のサブフレームを生成するに際してオフセットを選択し、欠陥ピクセル及び／又はエッジピクセルを補償することができる。ｎ位置処理の場合、スタックオンピクセル又はスタックオフピクセルいずれかの完全補正を、所望ピクセル値の範囲の（１−１／ｎ）において実現することができる。
【００６６】
上記実施形態の複数のうちの１つは、自然画像に高度な欠陥補正を有利に提供することができる。自然画像は一般に、任意の色域の中央付近に多くの所望値を有するため、完全補正が自然画像の大部分の割合にわたって可能であり得る。
【００６７】
好ましい実施形態の説明を目的として、特定の実施形態について本明細書において図示し説明してきたが、本発明の範囲から逸脱することなく、図示し説明した特定の実施形態を広範囲の代替及び／又は均等の実施態様に置き換えてもよいことが当業者に理解されるであろう。機械、電気機械、電気、及びコンピュータの分野の熟練者（当業者）は、本発明を非常に広い範囲の実施形態で実施できることを容易に理解するであろう。本願は、本明細書において述べた好ましい実施形態の適合又は変形を含むことを意図する。したがって、特許請求の範囲及びその均等物によってのみ本発明が限定されることが明らかに意図されている。
【図面の簡単な説明】
【００６８】
【図１】本発明の一実施形態による画像表示システムを示すブロック図である。
【図２Ａ】本発明の一実施形態による２つのサブフレームの表示を示す概略図でる。
【図２Ｂ】本発明の一実施形態による２つのサブフレームの表示を示す概略図である。
【図２Ｃ】本発明の一実施形態による２つのサブフレームの表示を示す概略図である。
【図３Ａ】本発明の一実施形態による４つのサブフレームの表示を示す概略図である。
【図３Ｂ】本発明の一実施形態による４つのサブフレームの表示を示す概略図である。
【図３Ｃ】本発明の一実施形態による４つのサブフレームの表示を示す概略図である。
【図３Ｄ】本発明の一実施形態による４つのサブフレームの表示を示す概略図である。
【図３Ｅ】本発明の一実施形態による４つのサブフレームの表示を示す概略図である。
【図４Ａ】本発明の一実施形態による画像表示システムを使用してのピクセルの表示を示す概略図である。
【図４Ｂ】本発明の一実施形態による画像表示システムを使用してのピクセルの表示を示す概略図である。
【図４Ｃ】本発明の一実施形態による画像表示システムを使用してのピクセルの表示を示す概略図である。
【図４Ｄ】本発明の一実施形態による画像表示システムを使用してのピクセルの表示を示す概略図である。
【図４Ｅ】本発明の一実施形態による画像表示システムを使用してのピクセルの表示を示す概略図である。
【図５Ａ】本発明の一実施形態による欠陥ピクセルを有する表示装置による２つのサブフレームの表示を示す概略図である。
【図５Ｂ】本発明の一実施形態による欠陥ピクセルを有する表示装置による２つのサブフレームの表示を示す概略図である。
【図５Ｃ】本発明の一実施形態による欠陥ピクセルを有する表示装置による２つのサブフレームの表示を示す概略図である。
【図６Ａ】本発明の一実施形態による異なる種類のアスペクト比のオフセットのランキングを示す概略図である。
【図６Ｂ】本発明の一実施形態による異なる種類のアスペクト比のオフセットのランキングを示す概略図である。
【図６Ｃ】本発明の一実施形態による異なる種類のアスペクト比のオフセットのランキングを示す概略図である。
【図７】本発明の一実施形態による欠陥ピクセルを有する表示装置のサブフレームピクセル値の生成を示す概略図である。
【図８】本発明の一実施形態による欠陥ピクセルを有する表示装置のサブフレームピクセル値を生成する方法を示すフローチャートである。
【図９Ａ】本発明の一実施形態によるピクセル補正を含まない２つのサブフレームの表示を示す概略図である。
【図９Ｂ】本発明の一実施形態によるピクセル補正を含む２つのサブフレームの表示を示す概略図である。
【図９Ｃ】本発明の一実施形態によるピクセル補正を含む２つのサブフレームの表示を示す概略図である。
【図９Ｄ】本発明の一実施形態によるピクセル補正を含む２つのサブフレームの表示を示す概略図である。
【図１０Ａ】本発明の一実施形態によるエラー補償なしの欠陥ピクセルの補正量を示すグラフ図である。
【図１０Ｂ】本発明の一実施形態によるエラー補償なしの欠陥ピクセルの補正量を示すグラフ図である。
【図１１Ａ】本発明の一実施形態によるエラー補償ありの欠陥ピクセルの補正量を示すグラフ図である。
【図１１Ｂ】本発明の一実施形態によるエラー補償ありの欠陥ピクセルの補正量を示すグラフ図である。
【符号の説明】
【００６９】
１０：画像表示システム
１２：画像
１４：表示画像
１６：画像データ
２０：フレームレート変換ユニット
２２：画像フレームバッファ
２４：画像処理ユニット
２６：表示装置
２８：画像フレーム
３０：画像サブフレーム
３２：Ａ／Ｄ変換器
３４：解像度調整ユニット
３６：サブフレーム生成ユニット
３８：画像シフタ
４０：タイミング発生器
１６１：デジタル画像データ
１６２：アナログ画像データ
【図１】
2008515001.tif 000003
【図２】
2008515001.tif 000004
【図３】
2008515001.tif 000005
【図４】
2008515001.tif 000006
【図５】
2008515001.tif 000007
【図６】
2008515001.tif 000008
【図７】
2008515001.tif 000009
【図８】
2008515001.tif 000010
【図９】
2008515001.tif 000011
【図１０】
2008515001.tif 000012
【図１１】
2008515001.tif 000013
【国際調査報告】
2008515001.tif 000014
2008515001.tif 000015